(57)【要約】【課題】より高いセキュリティ性を有する個人認証媒体発行装置、及び個人認証媒体発行方法を提供する。【解決手段】一実施形態に係る個人認証媒体発行装置は、媒体を供給する供給手段と、前記供給手段により供給された前記媒体の真偽を検知する真偽検知手段と、前記真偽検知手段により真と判定された前記媒体に個人情報を印刷する印刷手段と、前記真偽検知手段により偽と判定された場合、前記印刷手段による印刷処理を抑止するように前記印刷手段を制御する制御手段と、を具備する。【選択図】図１
2013188889.tif 000002
【特許請求の範囲】
【請求項１】
媒体を供給する供給手段と、
前記供給手段により供給された前記媒体の真偽を検知する真偽検知手段と、
前記真偽検知手段により真と判定された前記媒体に個人情報を印刷する印刷手段と、
前記真偽検知手段により偽と判定された場合、前記印刷手段による印刷処理を抑止するように前記印刷手段を制御する制御手段と、
を具備する個人認証媒体発行装置。
【請求項２】
前記真偽検知手段により偽と判定された前記媒体を集積する第１の集積手段をさらに具備する請求項１に記載の個人認証媒体発行装置。
【請求項３】
前記真偽検知手段により前記媒体が偽と判定された場合、前記供給手段に保持されている媒体を集積する第２の集積手段をさらに具備する請求項２に記載の個人認証媒体発行装置。
【請求項４】
前記真偽検知手段により偽媒体が連続して検出された場合、前記供給手段に保持されている媒体を集積する第２の集積手段をさらに具備する請求項２に記載の個人認証媒体発行装置。
【請求項５】
前記真偽検知手段により前記媒体が偽と判定された場合、外部機器に偽媒体が検出されたことを示す情報を報知する発報手段をさらに具備する請求項２に記載の個人認証媒体発行装置。
【請求項６】
前記真偽検知手段により前記媒体が偽と判定された場合、前記個人認証媒体発行装置を操作している人物を撮像する撮像手段をさらに具備する請求項２に記載の個人認証媒体発行装置。
【請求項７】
前記印刷手段により印刷された前記媒体が良品であるか不良品であるかを検査する印刷検査手段と、
前記印刷検査手段により良品と判定された前記媒体を集積する第３の集積手段と、
前記印刷検査手段により不良品と判定された前記媒体を集積する第４の集積手段と、
をさらに具備する請求項２に記載の個人認証媒体発行装置。
【請求項８】
媒体を供給する供給手段と、前記媒体に個人情報を印刷する印刷手段と、を具備する個人認証媒体発行装置の個人認証媒体発行方法であって、
前記供給手段により供給された前記媒体の真偽を検知し、
真と判定された前記媒体に対して前記印刷手段により個人情報を印刷し、
前記媒体が偽と判定された場合、前記印刷手段による印刷処理を抑止するように前記印刷手段を制御する、
個人認証媒体発行方法。
【発明の詳細な説明】
【技術分野】
【０００１】
本発明の実施形態は、個人認証媒体発行装置、及び個人認証媒体発行方法に関する。
【背景技術】
【０００２】
免許証、及びＩＤカードなどの個人を認証する為の媒体（個人認証媒体）を発行する為の個人認証媒体発行装置が一般的に実用化されている。個人認証媒体発行装置は、紙、プラスチック、または他の印刷が可能な媒体に対して種々の情報を印刷することにより、個人認証媒体を発行する。また、偽造を防止する為に、種々のセキュリティ印刷を施す個人認証媒体発行装置がある。
【先行技術文献】
【特許文献】
【０００３】
【特許文献１】特開２００５−３１９６４０号公報
【発明の概要】
【発明が解決しようとする課題】
【０００４】
従来の個人認証媒体発行装置は、発行に用いられる媒体に対するチェックが行なわれていない。この為、正規の媒体とは異なる媒体が個人認証媒体の発行に用いられる可能性があるという課題がある。
【０００５】
そこで、より高いセキュリティ性を有する個人認証媒体発行装置、及び個人認証媒体発行方法を提供することを目的とする。
【課題を解決するための手段】
【０００６】
一実施形態に係る個人認証媒体発行装置は、媒体を供給する供給手段と、前記供給手段により供給された前記媒体の真偽を検知する真偽検知手段と、前記真偽検知手段により真と判定された前記媒体に個人情報を印刷する印刷手段と、前記真偽検知手段により偽と判定された場合、前記印刷手段による印刷処理を抑止するように前記印刷手段を制御する制御手段と、を具備する。
【図面の簡単な説明】
【０００７】
【図１】図１は、一実施形態に係る個人認証媒体発行装置について説明するための図である。
【図２】図２は、一実施形態に係る個人認証媒体発行装置について説明するための図である。
【図３】図３は、一実施形態に係る個人認証媒体発行装置について説明するための図である。
【図４】図４は、一実施形態に係る個人認証媒体発行装置について説明するための図である。
【発明を実施するための形態】
【０００８】
以下、図面を参照しながら、一実施形態に係る個人認証媒体発行装置、及び個人認証媒体発行方法について詳細に説明する。
【０００９】
図１は、一実施形態に係る個人認証媒体発行装置１００の例を示す。個人認証媒体発行装置１００は、紙、プラスチック、フィルム、または他の印刷が可能なシート状の媒体１に対して個人情報などを印刷することにより、個人認証媒体を発行することができる。
【００１０】
図１に示すように、個人認証媒体発行装置１００は、制御部１０、操作部１１、真偽検知部１２、印刷制御部１３、印刷部１４、印刷検査部１５、発報部１６、撮像部１７、供給部２０、搬送部２１、ゲート２２乃至２４、良品スタッカ２５、不良品スタッカ２６、異常スタッカ２７、及び退避スタッカ２８を備える。
【００１１】
制御部１０は、個人認証媒体発行装置１００の各部の動作を統合的に制御する。制御部１０は、ＣＰＵ、バッファメモリ、プログラムメモリ、及び不揮発性メモリなどを備える。ＣＰＵは、種々の演算処理を行う。バッファメモリは、ＣＰＵにより行われる演算の結果を一時的に記憶する。プログラムメモリ及び不揮発性メモリは、ＣＰＵが実行する種々のプログラム及び制御データなどを記憶する。制御部は、ＣＰＵによりプログラムメモリに記憶されているプログラムを実行することにより、種々の処理を行うことができる。
【００１２】
操作部１１は、個人認証媒体発行装置１００を操作するオペレータによる各種操作入力を受け付ける。また、個人認証媒体発行装置１００は、オペレータに対して各種の操作案内、及び処理結果などを表示する表示部などをさらに備えていてもよい。また、操作部１１は、例えばタッチパネルとして表示部と一体に形成されていてもよい。
【００１３】
供給部２０は、個人認証媒体の発行に用いられる媒体１を投入するための構成である。供給部２０は、重ねられた複数枚の媒体１をまとめて受け入れる。供給部２０は、投入された媒体１をローラなどにより１枚ずつ装置内部に供給する。即ち、供給部２０は、媒体１を一枚ずつ搬送部２１に導入する。
【００１４】
搬送部２１は、媒体１を個人認証媒体発行装置１００内の各部に搬送する搬送手段である。搬送部２１は、図示しない搬送ベルト及び駆動プーリ（搬送ローラ）などの搬送機構を備えている。搬送部２１は、搬送機構により供給部２０から供給された媒体１を搬送する。
【００１５】
供給部２０から延びた搬送路上には、真偽検知部１２、印刷部１４、及び印刷検査部１５が設けられている。また、搬送路上にが、ゲート２２、ゲート２３、及び２４が設けられている。
【００１６】
真偽検知部１２は、搬送部２１により搬送されている媒体１の真偽（ａｕｔｈｅｎｔｉｃａｔｉｏｎ）を検知する。すなわち、真偽検知部１２は、媒体が真(ｇｅｎｕｉｎｅ)であるか、偽(ｃｏｕｎｔｅｒｆｅｉｔ)であるかを判定する。真偽検知部１２は、判定結果を制御部１０に通知する。
【００１７】
印刷制御部１３は、印刷部１４による印刷処理を制御する。印刷部１４は、印刷制御部１３の制御に基づいて、搬送部２１により搬送されている媒体１に対して印刷を施す。
【００１８】
印刷検査部１５は、印刷部１４により印刷された媒体１の検査を行う。これにより、印刷検査部１５は、印刷された媒体１、即ち個人認証媒体が良品であるか不良品であるか判定する。印刷検査部１５は、判定結果を制御部１０に通知する。
【００１９】
なお、個人認証媒体発酵装置１００は、複数種類の個人認証媒体を発行することができる。制御部１０は、操作部１１により入力された操作に応じて、発行する個人認証媒体の種類を決定する。制御部１０は、決定した個人認証媒体の種類を真偽検知部１２、印刷制御部１３、及び印刷検査部１５に通知する。またさらに、制御部１０は、媒体１に印刷する情報、及びフォーマット情報などを印刷制御部１３に送信する。
【００２０】
真偽検知部１２は、搬送される媒体１から、媒体１の光学的な特徴（特徴量）を検知する。例えば、真偽検知部１２は、媒体１に光を照射し、反射光及び透過光を取得する。真偽検知部１２は、取得した反射光及び透過光に基づいて特徴量を算出する。真偽検知部１２は、予め設定された種々のパラメータと、特徴量との比較を行うことにより、媒体１の真偽を検知する。即ち、真偽検知部１２は、媒体１から取得した特徴量と、制御部１０から通知された種類に応じたパラメータとを比較することにより、媒体１の真偽を検知する。
【００２１】
印刷制御部１３は、制御部１０から通知された種類に応じて印刷用の画像を生成する。印刷制御部１３は、生成した印刷用画像を印刷部１４に供給し、印刷用画像を媒体１の表面に印刷させる。
【００２２】
印刷検査部１５は、媒体１の画像を取得する。印刷検査部１５は、個人認証媒体の種類毎に比較用の画像（比較用画像）を記憶するメモリを備える。印刷検査部１５は、制御部１０から通知された種類に応じて比較用画像をメモリから読み出す。印刷検査部１５は、媒体１の画像と、読み出した比較用画像とを比較することにより、媒体１に対する印刷が正確に行われたか否か判定する。
【００２３】
印刷検査部１５は、媒体１に対する印刷が正確に行われている場合、媒体１が良品であると判定する。また、印刷検査部１５は、媒体１に対する印刷が正確に行われていない場合、媒体１が不良品であると判定する。
【００２４】
制御部１０は、真偽検知部１２及び印刷検査部１５の結果に応じてゲート２２乃至２４を切り替える。これにより、制御部１０は、媒体１の搬送先を良品スタッカ２５と不良品スタッカ２６と異常スタッカ２７と退避スタッカ２８とで切り替える。
【００２５】
良品スタッカ２５、不良品スタッカ２６、異常スタッカ２７、及び退避スタッカ２８は、それぞれ媒体１を集積する集積ポケットである。
【００２６】
制御部１０は、真偽検知部１２により真であると判定された媒体１が印刷部１４及び印刷検査部１５に搬送されるようにゲート２２及びゲート２３を制御する。
【００２７】
制御部１０は、印刷検査部１５により良品であると判定された媒体１が良品スタッカ２５に搬送されるようにゲート２２乃至２４を制御する。
【００２８】
また、制御部１０は、印刷検査部１５により不良品であると判定された媒体１が不良品スタッカ２６に搬送されるようにゲート２２乃至２４を制御する。
【００２９】
また、制御部１０は、真偽検知部１２により偽であると判定された媒体１が異常スタッカ２７に搬送されるようにゲート２２及びゲート２３を制御する。即ち、制御部１０は、真偽検知部１２により媒体１が偽と判定された場合、印刷部１４による印刷処理を抑止するように印刷部１４、搬送部２１、及び各ゲートを制御する。
【００３０】
さらに、制御部１０は、真偽検知部１２により媒体１が偽であることが判定された場合、供給部２０に投入されている媒体１と、供給部２０とゲート２２との間に存在する媒体１と、が退避スタッカ２８に搬送されるようにゲート２２を制御する。
【００３１】
なお、異常スタッカ２７及び退避スタッカ２８は、鍵、またはパスワード等によりロックされた金庫構造となっていてもよい。このような構成によると、偽と判定された媒体１は、外部から取り出されない状態になる。この結果、特定の管理者のみが異常スタッカ２７及び退避スタッカ２８にアクセスでき、個人認証媒体発行装置１００のセキュリティ性を高めることができる。
【００３２】
なお、個人認証媒体発行装置１００は、上位のシステムにより機能が制御されるような構成であってもよい。上位のシステムは、ホスト端末と、１つまたは複数の個人認証媒体発行装置１００とを備える。ホスト端末と個人認証媒体発行装置１００とは互いに通信可能な状態で接続されている。
【００３３】
このような場合、制御部１０は、ホスト端末と通信する為の通信手段と、上位システムに発報する為の発報部１６とを備える。発報部１６は、真偽検知部１２により媒体１が偽であることが判定された場合、ホスト端末に偽媒体が検出されたことを報知する。ホスト端末は、各個人認証媒体発行装置１００から通知された情報を保持することができる。これにより、ホスト端末は、ホスト端末を操作するオペレータに偽媒体が検出されたことを報知することができる。
【００３４】
撮像部１７は、真偽検知部１２により媒体１が偽であることが判定された場合、個人認証媒体発行装置１００を操作しているオペレータ及びその周辺の状況を撮像し、保存する。撮像部１７は、カメラと、記憶部とを備える。カメラは、レンズとエリアイメージセンサとを備え、二次元的な画像を取得することができる。記憶部は、ハードディスクドライブ（ＨＤＤ）、またはソリッドステイトドライブ（ＳＳＤ）などの記憶媒体を備える。
【００３５】
撮像部１７は、画像を取得した時間を示す時間情報と共に、取得した画像を記憶部に記憶する。これにより、撮像部１７は、真偽検知部１２により媒体１が偽であることが判定された時点で個人認証媒体発行装置１００を操作していたオペレータを静止画で撮像することができる。なお、撮像部１７は、複数台のカメラにより各エリア毎に画像を取得する構成であってもよい。
【００３６】
また、撮像部１７は、カメラにより動画を取得する構成であってもよい。この場合、撮像部１７は、個人認証媒体発行装置１００を操作しているオペレータが映りこむように動画を撮り続ける。この場合、記憶部の記憶媒体は、第１の記憶領域と第２の記憶領域とを備える。撮像部１７は、動画を逐次記憶媒体の第１の記憶領域に記憶する。例えば、撮像部１７は、直近の所定時間の長さの動画が記憶媒体の第１の記憶領域に記憶されるように記憶部を制御する。
【００３７】
撮像部１７は、真偽検知部１２により媒体１が偽であることが判定された場合、第１の記憶領域に記憶されている動画のデータを第２の記憶領域に時間情報とともに保存する。これにより、撮像部１７は、真偽検知部１２により媒体１が偽であることが判定された時点で個人認証媒体発行装置１００を操作していたオペレータを動画で撮像することができる。
【００３８】
図２は、真偽検知部１２の構成の例を示す。  
真偽検知部１２は、搬送部２１の近傍に設置される。真偽検知部１２は、照明部６１、ミラー６３乃至６８、第１のセンサ７１、及び第２のセンサ７２を備える。なお、真偽検知部１２は、図示しない信号処理部及び判定部を備える。媒体１は、搬送部２１により矢印ａの方向に搬送される。なお、媒体１が搬送される搬送路上の面を搬送面Ｐとする。
【００３９】
照明部６１は、媒体１に対して角度αで光が入射するように設置される。即ち、照明部６１は、媒体１の表面に対して垂直な線と角度αを成す線上に設置される。
【００４０】
照明部６１は、例えば、赤外線（赤外光）、または可視光を出力する。照明部６１は、例えば、ＬＥＤ、蛍光灯、または他の光源などを備える。
【００４１】
ミラー６３、ミラー６４、及びミラー６５は、光を反射する反射部材である。ミラー６３、ミラー６４、及びミラー６５は、光を反射する鏡面をそれぞれ有する。
【００４２】
センサ７１は、所定の走査範囲から光を受光するレンズとイメージセンサとを備える。レンズは、受光した光をイメージセンサに結像させる。イメージセンサは、レンズにより結像された光に基づいて、画像または光強度に応じた電気信号を取得する。イメージセンサは、ＣＭＯＳ、フォトダイオード、またはＣＣＤなどの受光素子がマトリクス状に配列された構成を備える。すなわち、センサ７１は、入射する光の光強度を検出値として検出する。
【００４３】
例えば、センサ７１は、３色（３つの波長帯域）の光を検出するイメージセンサなどを備える。即ち、センサ７１は、可視領域の波長（Ｒ，Ｇ，Ｂ）の各色毎のイメージセンサを備える。さらに、センサ７１は、可視領域の波長（Ｒ，Ｇ，Ｂ）の３色に対応するイメージセンサに加え、さらに赤外波長（ＩＲ）の光を検出するイメージセンサなどを備えていても良い。
【００４４】
また、例えば、照明部６１が赤外光を照射する構成である場合、センサ７１は、赤外光以外の帯域の光を遮断するフィルタ（波長制限媒体）をさらに有する。なお、センサ７１は、所定の帯域（赤外光）の波長を感度領域とするセンサを備える構成であってもよい。
【００４５】
また、他の例として、照明部６１は、可視光から赤外までの波長の光を照射し、センサ７１及びセンサ７２が可視領域の波長及び赤外波長に対応するイメージセンサにより可視光から赤外光までの光を一度に取得するようにしても良い。
【００４６】
このようにすることにより、透過光及び反射光を可視画像として取得し、さらに透過光及び反射光を赤外画像として取得することができる。これにより、センサ７１及びセンサ７２は、明るさ情報、色味（カラー）、及び光沢を一度に取得することができる。
【００４７】
図２に示されるように、ミラー６３は、照明部６１から角度αで媒体１に照射された光の拡散反射光Ａを反射する。即ち照明部６１は、媒体１に光を照射することにより、拡散反射光Ａを発生させる。媒体１に光が照射された場合、球状に拡散反射光Ａが生じる。ミラー６３は、媒体１上で反射した拡散反射光Ａを反射させる。
【００４８】
ミラー６４は、ミラー６３により反射された拡散反射光Ａを反射し、センサ７１のレンズに入射させる。ミラー６４により反射されてレンズに入射した拡散反射光Ａは、レンズによりセンサ７１のイメージセンサに結像される。
【００４９】
また、図２に示されるように、ミラー６５は、照明部６１から角度αで媒体１に照射された光の正反射光Ｂを反射する。即ち照明部６１は、媒体１に光を照射することにより、正反射光Ｂを発生させる。なお、正反射光Ｂは、媒体１に角度αで入射し、角度αで反射した光である。ミラー６５は、搬送される媒体１上で反射した正反射光Ｂを反射させる。
【００５０】
ミラー６４は、ミラー６５により反射された正反射光Ｂを反射し、センサ７１のレンズに入射させる。ミラー６４により反射されてレンズに入射した正反射光Ｂは、レンズによりセンサ７１のイメージセンサに結像される。
【００５１】
ミラー６６、ミラー６７、及びミラー６８は、光を反射する反射部材である。ミラー６６、ミラー６７、及びミラー６８は、光を反射する鏡面をそれぞれ有する。
【００５２】
センサ７２は、所定の走査範囲から光を受光するレンズとイメージセンサとを備える。すなわち、センサ７２は、センサ７１と同様の構成を備える。
【００５３】
図２に示されるように、ミラー６８は、照明部６１から角度αで媒体１に照射された光の直接透過光Ｄを反射する。即ち照明部６１は、媒体１に光を照射することにより、直接透過光Ｄを発生させる。なお、直接透過光Ｄは、媒体１に角度αで入射し、角度αで媒体１を透過した光である。即ち、直接透過光Ｄは、照明部６１と、媒体１上の光が入射する位置とを結ぶ直線上で検出される光である。ミラー６８は、搬送される媒体１上の所定の範囲を透過した直接透過光Ｄを反射させる。
【００５４】
ミラー６７は、ミラー６８により反射された直接透過光Ｄを反射し、センサ７２のレンズに入射させる。ミラー６７により反射されてレンズに入射した直接透過光Ｄは、レンズによりセンサ７２のイメージセンサに結像される。
【００５５】
また、図２に示されるように、ミラー６６は、照明部６１から角度αで媒体１に照射された光の拡散透過光Ｃを反射する。即ち照明部６１は、媒体１に光を照射することにより、拡散透過光Ｃを発生させる。即ち、媒体１に光が照射された場合、照明部６１と反対側に球状に拡散透過光Ｃが生じる。なお、拡散透過光Ｃは、媒体１に角度αで入射し、直接透過光Ｄとは異なる角度αで媒体１を透過した光である。即ち、拡散反射光Ｃの光軸が媒体１の表面に対して垂直な線に対して直接透過光Ｄと対称になるようにミラー６６乃至６８が設置される。なお、ミラー６６は、搬送される媒体１上の所定の範囲を透過した拡散透過光Ｃを反射させる。
【００５６】
ミラー６７は、ミラー６６により反射された拡散透過光Ｃを反射し、センサ７２のレンズに入射させる。ミラー６７により反射されてレンズに入射した拡散透過光Ｃは、レンズによりセンサ７２に結像される。
【００５７】
この構成により、センサ７１は、媒体１により反射された拡散反射光Ａ及び正反射光Ｂを取得することが出来る。また、センサ７２は、媒体１を同時に透過した拡散透過光Ｃ及び直接透過光Ｄを取得することが出来る。
【００５８】
センサ７１及びセンサ７２は、受光した光に応じて信号を生成する。真偽検知部１２の信号処理部は、センサ７１及びセンサ７２により生成された信号に信号処理を施し、種々の特徴量を取得することが出来る。
【００５９】
信号処理部は、センサ７１及びセンサ７２により生成された画像に対して信号処理を施す。例えば、信号処理部は、信号の増幅、エッジの強調、明るさの調整などを行い、種々の判定に用いられる特徴量を抽出することができる。
【００６０】
真偽検知部１２の信号処理部は、拡散反射光Ａから得られた信号により、媒体１の画像（拡散反射画像）を取得する。信号処理部は、この画像から紙葉類の明るさや色味の特徴量を抽出する。明るさと色味は、例えば、マンセル表色系（Ｌ＊ａ＊ｂ＊表色系）における明るさＬ＊、色味ａ＊、ｂ＊もしくはｃ＊である。また、信号処理部は、拡散反射画像からテクスチャ特徴（拡散反射テクスチャ特徴）を抽出する。
【００６１】
また、信号処理部は、正反射光Ｂから得られた信号により、媒体１の表面の光沢の特徴量を抽出する。媒体１の表面状態が艶やかであれば、反射率が高くなり、表面状態が荒れていれば、反射率は低くなる。
【００６２】
また、信号処理部は、拡散透過光Ｃから得られた電気信号により、媒体１の画像（拡散透過画像）を取得する。信号処理部は、この拡散透過画像からテクスチャ特徴（拡散透過テクスチャ特徴）を抽出する。
【００６３】
またさらに、信号処理部は、直接透過光Ｄから得られた信号により、媒体１の画像（直接透過画像）を取得する。信号処理部は、この直接透過画像からテクスチャ特徴（直接透過テクスチャ特徴）を抽出する。
【００６４】
例えば、信号処理部は、可視領域の波長（Ｒ，Ｇ，Ｂ）の画像、または近赤外領域の波長（ＩＲ）の画像に基づいてテクスチャ特徴を抽出する。信号処理部は、ＩＲ画像に基づいてテクスチャ特徴を抽出する場合、媒体１上の汚れ、または印刷等の影響を受けにくくすることができる。これにより、信号処理部は、媒体１の本来の繊維構造の特徴をテクスチャ構造として抽出することができる。
【００６５】
上記したように、信号処理部は、拡散反射光Ａ、正反射光Ｂ、拡散透過光Ｃ、及び直接透過光Ｄなどに基づいて、拡散反射テクスチャ特徴、拡散透過テクスチャ特徴、直接透過テクスチャ特徴、明るさ、色味、及び光沢などを抽出する。
【００６６】
真偽検知部１２の判定部は、抽出された特徴量と、制御部１０から通知された種類に応じたパラメータとを比較することにより、媒体１の真偽を検知する。即ち、判定部は、これらの複数の特徴量を用いて多変量解析を行うことによって、媒体１の紙質の種類を分類し、媒体１の真偽を判定することができる。
【００６７】
例えば、真偽検知部１２の判定部は、抽出された特徴量の複数、またはすべてを用いて、多次元的にマッピングを行う。これにより、判定部は、媒体１の紙質の識別、及び同定（ｉｄｅｎｔｉｆｙ）を行う事ができる。例えば、個人認証媒体発行装置１００は、１８種類（ｃａｔｅｇｏｒｙ）の各１０枚ずつのサンプルの媒体１に対し、マッピングを行う。
【００６８】
図３は、直接透過テクスチャ特徴（低解像度）、直接透過テクスチャ特徴（高解像度）、及び明るさの３種の特徴量を抽出し、抽出した特徴量に基づいて多次元マッピングが行われた例を示す。
【００６９】
図３の縦軸は、明るさの特徴量を示す。また、図３の横軸は、直接透過テクスチャ特徴（低解像度）を示す。また、図３の奥行きの軸は、直接透過テクスチャ特徴（高解像度）を示す。また、図３にマッピングされたマーカは、種類ごとに異なるカテゴリーを示す。
【００７０】
図３に示されるように、真偽検知部１２の判定部は、上記の処理により抽出された特徴量に基づいてマッピングを行うことにより、カテゴリー毎にグループ化を行うことができる。例えば、判定部は、マッピングの結果に対して線形判別関数、または非線形判別関数を用いることにより、各グループを分離することが出来る。これにより、判定部は、媒体１を分類することができる。判定部は、媒体１の分類結果が、制御部１０から通知された種類と一致した場合、媒体１を真と判定する。また、判定部は、媒体１の分類結果が、制御部１０から通知された種類と一致しない場合、媒体１を偽と判定する。
【００７１】
図４は、個人認証媒体発行装置１００の動作の例を示す。  
制御部１０は、操作部１１により入力された操作に応じて、発行する個人認証媒体の種類を決定する（ステップＳ１１）。制御部１０は、決定した個人認証媒体の種類を示す情報を真偽検知部１２に送信する（ステップＳ１２）。また、制御部１０は、決定した個人認証媒体の種類を示す情報を印刷制御部１３に送信する（ステップＳ１３）。制御部１０は、供給部２０に投入されている媒体１を真偽検知部１２まで搬送させるように供給部２０及び搬送部２１を制御する（ステップＳ１４）。
【００７２】
真偽検知部１２は、搬送された媒体１に対して真偽検知を行う（ステップＳ１５）。即ち、真偽検知部１２は、上記したように、媒体１に対して光を照射し、その反射光、透過光などを検出することにより、種々の特徴量を抽出する。真偽検知部１２は、抽出した特徴量に基づいて、媒体１を分類する。真偽検知部１２は、分類の結果が、制御部１０から送信された種類情報が示す種類と一致するか否かに応じて真偽を判定する（ステップＳ１６）。
【００７３】
真偽検知部１２により真であると判定された場合、制御部１０は、媒体１が印刷部１４及び印刷検査部１５に搬送されるようにゲート２２及びゲート２３を制御する。印刷部１４は、印刷制御部１３の制御に応じて、搬送された媒体１に印刷処理を行う（ステップＳ１７）。
【００７４】
印刷検査部１５は、印刷部１４により印刷処理が施された媒体１の検査を行う（ステップＳ１８）。印刷検査部１５は、媒体１の画像と、読み出した比較用画像とを比較することにより、媒体１に対する印刷が正確に行われたか否か判定する。印刷検査部１５は、媒体１に対する印刷が正確に行われているか否かに応じて、媒体１が良品であるか不良品であるかを判定する（ステップＳ１９）。
【００７５】
印刷検査部１５により良品と判定された場合、制御部１０は、媒体１が良品スタッカ２５に搬送されるようにゲート２４を制御する（ステップＳ２０）。これにより、良品と判定された媒体１が良品スタッカ２５に集積される。
【００７６】
また、印刷検査部１５により不良品と判定された場合、制御部１０は、媒体１が不良品スタッカ２６に搬送されるようにゲート２４を制御する（ステップＳ２１）。これにより、不良品と判定された媒体１が不良品スタッカ２６に集積される。
【００７７】
また、ステップＳ１６で、真偽検知部１２により偽であると判定された場合、制御部１０は、媒体１が異常スタッカ２７に搬送されるようにゲート２３を制御する（ステップＳ２２）。これにより、偽と判定された媒体１が異常スタッカ２７に集積される。
【００７８】
この場合、制御部１０は、発報部１６によりホスト端末に偽媒体が検出されたことを報知するように発報部１６を制御する（ステップＳ２３）。さらに、制御部１０は、撮像部１７により個人認証媒体発行装置１００を操作しているオペレータ及びその周辺の状況を撮像し、画像を保存するように撮像部１７を制御する（ステップＳ２４）。
【００７９】
上記したように、個人認証媒体発行装置１００は、発行に用いる媒体１の特徴を検査し、媒体１の真偽を検知する。個人認証媒体発行装置１００は、真と判定された媒体１に印刷処理を施すことにより、個人認証媒体の偽造を防ぐことができる。また、個人認証媒体発行装置１００は、偽と判定された媒体１を容易に取り出すことができない異常スタッカ２７に集積することにより、証拠を保管することができる。
【００８０】
また、発行する個人認証媒体の種類の設定が誤っている場合、真偽検知部１２により偽が検出される。これにより、誤った媒体１に印刷処理が施されることを防ぐことができる。
【００８１】
この結果、より高いセキュリティ性を有する個人認証媒体発行装置、及び個人認証媒体発行方法を提供することができる。
【００８２】
また、真偽検知部１２により媒体１が偽であると判定された場合、制御部１０は、供給部２０に残存している媒体１を退避スタッカ２８に搬送するようにゲート２２及び搬送部２１を制御する構成であってもよい。これにより、個人認証媒体発行装置１００は、さらにセキュリティ性を高めることができる。
【００８３】
また、真偽検知部１２により媒体１が偽であると判定された場合に即座に供給部２０の媒体１を退避スタッカ２８に搬送する場合、真偽検知部１２の誤検知などにより個人認証媒体発行装置１００の操作性が悪化する可能性がある。そこで、個人認証媒体発行装置１００は、２度連続して媒体１が偽と判定された場合に供給部２０に残存している媒体１を退避スタッカ２８に搬送する構成であってもよい。これにより、個人認証媒体発行装置１００は、操作性を高め、且つセキュリティ性を高めることができる。
【００８４】
なお、上記した実施形態では、真偽検知部１２は、媒体１の特徴量として明るさ、色味、テクスチャ特徴、及び光沢などを検出すると説明したが、この構成に限定されない。真偽検知部１２は、如何なる特徴により媒体１の真偽を検知する構成であってもよい。
【００８５】
また、上記実施形態では、真偽検知部１２は、搬送される媒体１から光学的特徴を抽出すると説明したが、この構成に限定されない。真偽検知部１２は、固定された媒体１から光学的特徴を抽出する構成であってもよい。
【００８６】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００８７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００８８】
１…媒体、１０…制御部、１１…操作部、１２…真偽検知部、１３…印刷制御部、１４…印刷部、１５…印刷検査部、１６…発報部、１７…撮像部、２０…供給部、２１…搬送部、２２…ゲート、２３…ゲート、２４…ゲート、２５…良品スタッカ、２６…不良品スタッカ、２７…異常スタッカ、２８…退避スタッカ、１００…個人認証媒体発行装置。
【図１】
2013188889.tif 000003
【図２】
2013188889.tif 000004
【図３】
2013188889.tif 000005
【図４】
2013188889.tif 000006